(57)【要約】【課題】展開時、安定的にサポート可能で、テントが倒れることのないテント折畳み棒組を提供する。【解決手段】  主に棒組は若干節の棒部品により組成し、各棒部品の間は棒部品連接部品により相互に連接する。該棒部品連接部品は２個の連接部が相互に噛合い接続し一体を組成し、一方の連接部の内端は軸方向にU型槽を開設し、該U型槽の２本の槽アーム外端面において係合槽を開設する。もう一方の連接部の内端には突起ブロックを形成し該U型槽と相互に対応し、該突起ブロック上には長腰孔を長円孔として設置する。該突起ブロックの根元部分には該U型槽に対応する槽アーム外端面の突起垣を設置し、該突起垣上には該係合槽に対応し突起を設置する。【選択図】  図２
0003123505.tif 000002
【実用新案登録請求の範囲】
【請求項１】
主に一種のテント折畳み棒組で、該棒組は若干節の棒部品により組成し、該各棒部品の間は棒部品連接部品により相互に連接し、
該上方に位置する棒部品連接部品は２個の連接部が相互に噛合い接続し一体を組成し、一方の連接部の内端は軸方向にU型槽を開設し、該U型槽の２本の槽アーム外端面において係合槽を開設し、もう一方の連接部の内端には突起ブロックを形成し該U型槽と相互に対応し、該突起ブロック上には長腰孔を長円孔として設置し、該突起ブロックの根元部分には該U型槽に対応する槽アーム外端面の突起垣を設置し、該突起垣上には該係合槽に対応し突起を設置し、また、一方の連接部のU型槽封鎖端の外端にはガードブロックを設置し、該ガードブロックと該U型槽の槽底間には凹槽を形成し、もう一方の連接部の突起ブロック頂端には突起粒を設置し、該突起粒は前記の連接部のガードブロックと該U型槽間に形成する凹槽内に挿入設置し、該もう一方の連接部の長腰孔は内端部及び該U型槽の槽底方向に向かい傾斜設置し、
該下方に位置する棒部品連接部品は２個の連接部が相互に噛合い接続し一体を組成し、一方の連接部の内端は軸方向にU型槽を開設し、該U型槽の２本の槽アーム外端面において係合槽を開設し、該係合槽は該U型槽開口端片側に位置し、接触ガードブロックを設置し、これにより接触ガード面を形成し、もう一方の連接部の内端には突起ブロックを形成し該U型槽と相互に対応し、該突起ブロック上には長腰孔を長円孔として設置し、該突起ブロックの根元部分には該U型槽に対応する槽アーム外端面の突起垣を設置し、該突起垣上には該係合槽に対応し突起を設置し、該突起片側には接触ガード面を設置し、該接触ガード面は前記の連接部の接触ガード面と相互に対応し、また、該連接部のU型槽封鎖端の外端にはガードブロックを設置し、該ガードブロックと該U型槽の槽底間には凹槽を形成し、もう一方の連接部の突起ブロック頂端には突起粒を設置し、該突起粒は前記の連接部のガードブロックと該U型槽間に形成する凹槽内に挿入設置し、該もう一方の連接部長腰孔の内端部は該U型槽槽底方向に向かい延伸し、これにより該端の孔径は反対端の孔径より大きいことを特徴とするテント折畳み棒組。
【考案の詳細な説明】
【技術分野】
【０００１】
本考案は一種のテント部品に関する。特に一種のテント折畳み棒組に係る。
【背景技術】
【０００２】
図1に示すように、一般の折畳み可能テントサポートフレームは主に若干の折畳み可能棒組により組成する。該折畳み棒組はまた若干節の棒部品により組成し、各棒部品の間は棒部品連接部品により相互に連接し、折畳みの便を図る。しかし該棒部品連接部品の折畳み可能性能により、テントを展開し張る時には、風力が大きい時に、サポート力不足により折れ曲り、テントが倒れてしまうことを防止するために、該折畳み可能式棒組はしばしば定位装置が必要であった。
また、テントサポートフレームの折畳み棒組は若干節の棒部品により連接され組成するが、一般には少なくとも三節の棒部品が２個の棒部品連接部品により連接され組成する。該構造においては、各節点が受ける風力は異なるため、受け止めなければならない圧力も異なる。通常は、下方に位置する棒部品連接部品は風と正面接触しなければならないため、受け止める圧力も大きいが、上方に位置する棒部品連接部品が受ける圧力は比較的小さい。また、テントの展開時、各棒部品連接部品は定位状態にあるが、テントの折畳時に、いかにして定位状態にある各棒部品連接部品の定位を便利に解除するかは使用者にとって重要な問題である。上方に位置する棒部品連接部品は、その定位構造がどのようなものであろうと、その位置は比較的低いため、使用者は楽に操作でき不便を感じることがないが、上方の棒部品連接部品においては、その位置は高い方であるため、折畳み操作が便利な定位構造が必要で、特に身長が低い使用者にとっては重要である。
すなわち上述の理由により、テントサポートフレームの折畳み棒組には使用位置の差異に基づき、異なる機能の棒部品連接部品を設計する必要がある。
【考案の開示】
【考案が解決しようとする課題】
【０００３】
本考案は上記構造の問題点を解決したテント折畳み棒組を提供するものである。
【課題を解決するための手段】
【０００４】
上記課題を解決するため、本考案は下記のテント折畳み棒組を提供する。
それは主にテント折畳み棒組の該棒組は若干節の棒部品により組成し、各棒部品の間は棒部品連接部品により相互に連接し、
該上方に位置する棒部品連接部品は２個の連接部が相互に噛合い接続し一体を組成し、一方の連接部の内端は軸方向にU型槽を開設し、該U型槽の２本の槽アーム外端面において係合槽を開設し、もう一方の連接部の内端には突起ブロックを形成し該U型槽と相互に対応し、該突起ブロック上には長腰孔を長円孔として設置し、該突起ブロックの根元部分には該U型槽に対応する槽アーム外端面の突起垣を設置し、該突起垣上には該係合槽に対応し突起を設置し、また、一方の連接部のU型槽封鎖端の外端にはガードブロックを設置し、該ガードブロックと該U型槽の槽底間には凹槽を形成し、もう一方の連接部の突起ブロック頂端には突起粒を設置し、該突起粒は前記の連接部のガードブロックと該U型槽間に形成する凹槽内に挿入設置し、もう一方の連接部の長腰孔は内端部及び該U型槽の槽底方向に向かい傾斜し設置し、
該下方に位置する棒部品連接部品は２個の連接部が相互に噛合い接続し一体を組成し、一方の連接部の内端は軸方向にU型槽を開設し、該U型槽の２本の槽アーム外端面において係合槽を開設し、該係合槽は該U型槽開口端片側に位置し、接触ガードブロックを設置し、これにより接触ガード面を形成し、もう一方の連接部の内端には突起ブロックを形成し該U型槽と相互に対応し、該突起ブロック上には長腰孔を長円孔として設置し、該突起ブロックの根元部分には該U型槽に対応する槽アーム外端面の突起垣を設置し、該突起垣上には該係合槽に対応し突起を設置し、該突起片側には接触ガード面を設置し、該接触ガード面は前記の連接部の接触ガード面と相互に対応し、該連接部のU型槽封鎖端の外端にはガードブロックを設置し、該ガードブロックと該U型槽の槽底間には凹槽を形成し、もう一方の連接部の突起ブロック頂端には突起粒を設置し、該突起粒は前記の連接部のガードブロックと該U型槽間に形成する凹槽内に挿入設置し、もう一方の連接部長腰孔の内端部は該U型槽槽底方向に向かい延伸し、これにより該端の孔径は反対端の孔径より大きくなり、
上述の構造において、本考案折畳み棒組の各棒部品連接部品上には相互に係合する係合槽及び突起を設置し、さらにガードブロックと突起粒を設置し、こうして二重制限作用を具えるため、折畳み棒組全体のロック力を大幅に増強し、その展開時の定位サポートを堅固にし、
また、本考案は折畳み棒組全体の各節点位置と受ける風力の差異に基づき、各節点位置の棒部品連接部品を区別し設計し、上方の棒部品連接部品ではその位置が高い方であるが、受ける圧力は大きくないため、ここでは操作の利便性を考慮し、その係合槽と突起の係合深度は比較的浅く、一旦２個の連接部の相対方向の力が消失すると、即２個の連接部は離れ、折畳み時には、両手を用い２個の連接部を外へと引き出す必要がなく、テントサポートフレームの張力が消失後に、折畳み方向に向けて該棒部品連接部品を軽く引き動かすだけで、棒部品を折畳むことができ、操作が非常に便利で、身長が低い使用者にとっても非常に容易で、
一方、下方の棒部品連接部品では、風向と正面接触するためそれが受ける圧力は大きいが、その位置は比較的低いため、この部分ではサポート力における要求を主に考慮し、その係合槽と突起の相互対応位置に相互に噛合うことができる接触ガード面を設置し、これにより棒部品の展開時、２個の連接部は緊密に一体に固定され、これにより折畳み棒組全体の下方のロック圧力を強化し、この部分の正面から風と接触するために必要な力を具えさせ、これにより風力がどれほど大きくてもテントが倒れる心配はなく、この位置の棒部品連接部品は折畳み時、両手を用い２個の連接部を外へと引くだけで、便利に折畳むことができ、この棒部品連接部品の位置は比較的低いため、以この操作は非常に容易に行われることを特徴とするテント折畳み棒組である。
【考案の効果】
【０００５】
上記のように、本考案は展開時の定位サポートが堅固で、折畳み時の操作が便利なテント折畳み棒組を提供することができる。
【考案を実施するための最良の形態】
【０００６】
図2〜14に示すように、本考案折畳み棒組は若干節の棒部品1により組成し、本実施例では三節の棒部品を例とし説明する。上方に位置する２節の棒部品1の間は棒部品連接部品Aにより相互に連接し、下方に位置する２節の棒部品1の間は別の棒部品連接部品Bにより相互に連接し、棒組全体の折畳みの便を図る。
次に図2、3、4に示すように、該上方に位置する棒部品連接部品Aは２個の連接部A1、A2によりリベットSを通して相互に噛合い一体を組成し、２個の連接部A1、A2の外端はそれぞれ２節の棒部品1上に挿入、接続し固定する。一方の連接部A1の内端は軸方向にU型槽A11を開設し、該U型槽A11の２本の槽アーム上には各可動接続孔A12を設置する。しかも該U型槽A11の２本の槽アーム外端面には係合槽A13を開設し、該係合槽A13は弧状で、該U型槽A11封鎖端の外端にはガードブロックA14を設置し、これにより該ガードブロックA14と該U型槽A11の槽底間には凹槽を形成する。
もう一方の連接部A2の内端には突起ブロックA21を形成し、この突起ブロックA21と連接部A1上のU型槽A11は相互に対応し、該突起ブロックA21上の長腰孔A22は長円孔で、該リベットSは該U型槽A11の可動接続孔A12と該突起ブロックA21の長腰孔A22を貫通し、該２個の連接部A1、A2を一体に噛合い接続する。該突起ブロックA21の根元部分には該U型槽A11に対応する槽アーム外端面の突起垣A25を設置し、該突起垣A25上には該係合槽A13に対応し突起A23を設置する。また該突起ブロックA21の頂端には突起粒A24を設置し、該突起粒A24は該連接部A1のガードブロックA14と該U型槽A11間に形成する凹槽内に挿入設置可能で、該ガードブロックA14と一緒に係合ロック状態を形成する。
【０００７】
続いて図5〜7に示すように、該上方の棒部品連接部品Aは折畳み時、該２個の連接部A1、A2を外へと引き、もう一方の連接部A2の突起A23を該連接部A1の係合槽A13から抜き、同時に、もう一方の連接部A2の突起粒A24も該連接部A1のガードブロックA14との係合ロック状態を解除する。さらに、該２個の連接部A1、A2が半分に折れるまで該２個の連接部A1、A2を折り、こうして相互に連接する２本の棒部品1を折畳むことができる。またもう一方の連接部A2の突起粒A24が該連接部A1のU型槽A11槽底と干渉しないようにするため、該もう一方の連接部A2の長腰孔A22は内端部及び該U型槽A11槽底方向に傾斜する弧状槽孔に向かう。こうして図5に示すように、該２個の連接部A1、A2を引き開く時、該弧状長腰孔A22はもう一方の連接部A2を上に引上げ、これにより回転時に該突起粒A24と該U型槽A11の槽底は干渉しない（図6参照）。
【０００８】
さらに図8、9、10に示すように、該下方に位置する棒部品連接部品Bは同様に該２個の連接部B1、B2によりリベットSを通過し相互に噛合い一体を組成する。しかも２個の連接部B1、B2の外端はそれぞれ２節の棒部品1上に挿入、接続し固定する。一方の連接部B1ともう一方の連接部B2の構造と該上方の棒部品連接部品Aはおよそ同一で、同様に相互に挿入接続するU型槽B11と突起ブロックB21、リベットSを通過し噛合い接続する可動接続孔B12と長腰孔B22、相互に係合定位する係合槽B13及び突起B23、及び相互に係合ロック定位するガードブロックB14及び突起粒B24を含む。この他、該突起ブロックB21の根元部分には該U型槽B11に対応する槽アーム外端面の突起垣B25を設置し、該突起粒B24は該突起垣B25上に設置する。該下方の棒部品連接部品Bの差異点は以下の通りである。
該連接部B1の２個の係合槽B13は該U型槽B11開口端片側に位置し、接触ガードブロックB15を設置し、これにより接触ガード面B16を形成し、もう一方の連接部B2の突起B23の相互に対応する位置には接触ガード面B26を設置する。該接触ガード面B26と該連接部B1の接触ガード面B16は相互に対応する。該２個の接触ガード面B16、B26は内部が窪んだ鋭角傾斜設計で、これにより２個の接触ガード面B16、B26は相互に噛合い一体を成し、安定的に固定する機能を具える。
【０００９】
さらにもう一方の連接部B2長腰孔B22の内端部は該U型槽B11槽底方向に向かって延伸し、これにより該端の孔径は反対端の孔径より大きくなる。こうして該下方の棒部品連接部品Bの折畳み時、図11〜13に示すように、該２個の連接部B1、B2を外へと引き動かし、もう一方の連接部B2の突起B23を該連接部B1の係合槽B13から抜くと、同時に、もう一方の連接部B2の突起粒B24は該連接部B1のガードブロックB14との係合ロック状態を解除する。
該２個の連接部B1、B2を引き開くと同時に、該長腰孔B22内端部の孔径はより大きいため後退するための空間を具え、これによりもう一方の連接部B2を上に上げ、こうして回転時、該突起粒B24と該U型槽B11の槽底は干渉しない（図12参照）。
【００１０】
また図14に示すように、該折畳み棒組をテントサポートフレーム上に応用する場合には、テントの展開使用時、テントはサポートフレーム全体の張力作用において、各棒部品連接部品A、Bの２個の連接部の間は相対方向の力を具える。この時各突起ブロックA21、B21の突起A23、B23は該各係合槽A13、B13内に入り、これにより位置制限作用を生じる。こうして、該各棒部品連接部品
A、Bの２個の連接部は相対折畳み不能となり、ロック状態となる。
この他、該ガードブロックA14、B14と該突起粒A24、B24は折畳み棒組の展開時に相互に接触固定し、該突起A23、B23及び該係合槽A13、B13は一緒に二重制限作用を構成し、こうして折畳み棒組全体のロック力を拡大することができる。また、下方の棒部品連接部品Bにとっては、その係合槽B13と突起B23位置には相互に噛合う接触ガード面B16、B26を設置するため、棒部品の展開時、該２個の連接部B1、B2は緊密に一体に固定され、この部分に正面から風と接触するために必要な力を具えさせ、これにより風力がどれほど大きくてもテントが倒れる心配はない。
【００１１】
テントを折畳む時、テントサポートフレームの張力が消失するため、各棒部品連接部品A、Bの２個の連接部の間には相対方向の力が存在せず、各棒部品1間は弛緩した状態となり、下方の棒部品連接部品Bにとっては、使用者は該２個の連接部B1、B2を引き開くだけで良く、該棒部品連接部品Bを折畳むことができる。該棒部品連接部品Bの位置は比較的低いため、この操作は非常に容易に行うことができる。該上方の棒部品連接部品Aにおいては、該係合槽A13と該突起A23の係合深度が比較的浅いため、一旦該２個の連接部A1、A2の相対方向の力が消失すれば、該２個の連接部A1、A2を離脱させることができる。この時、使用者は折畳み方向に向けて該棒部品連接部品Aを軽く引くだけで、リベットSは該弧状長腰孔A22に沿ってスライド移動し、もう一方の連接部A2を上に引上げる。同時に該２個の連接部A1、A2を相対させ折り曲げる。このように該棒部品連接部品Aの位置は高い方であるが、この操作は非常に便利で、身長が低い使用者にとっても非常に容易である。該棒部品連接部品Aが受けとめられる力は該下方の棒部品連接部品Bに比べて小さいが、テント上部が受ける風力は比較的小さいため、テントが倒れることはない。
【図面の簡単な説明】
【００１２】
【図１】公知の折畳み可能テントの立体外観図である。
【図２】本考案上方棒部品連接部品の立体分解図である。
【図３】考案上方棒部品連接部品の立体組合せ外観図である。
【図４】本考案上方棒部品連接部品の組合せ断面図である。
【図５】本考案上方棒部品連接部品の折畳み動作指示図一である。
【図６】本考案上方棒部品連接部品の折畳み動作指示図二である。
【図７】本考案上方棒部品連接部品折畳み後の状態指示図である。
【図８】本考案下方棒部品連接部品の立体分解図である。
【図９】本考案下方棒部品連接部品の立体組合せ外観図である。
【図１０】本考案上方棒部品連接部品の組合せ断面図である。
【図１１】本考案下方棒部品連接部品の折畳み動作指示図一である。
【図１２】本考案下方棒部品連接部品の折畳み動作指示図二である。
【図１３】本考案下方棒部品連接部品折畳み後の状態指示図である。
【図１４】本考案をテントサポートフレームに応用する使用状態指示図である。
【符号の説明】
【００１３】
1      棒部品
A  棒部品連接部品棒部品
B  連接部品
A1、A2  連接部
A11  U型槽
A12  可動接続孔
A13  係合槽
A14  ガードブロック
A21  突起ブロック
A22  長腰孔
A23  突起
A24  突起粒
A25  突起垣
S  リベット 
B1、B2  連接部 
B11  U型槽
B21  突起ブロック
B12  可動接続孔
B22  長腰孔
B13  係合槽
B14  ガードブロック
B15  ガードブロック
B16  接触ガード面
B2  連接部
B22  長腰孔
B23  突起
B24  突起粒
B25  突起垣
B26  接触ガード面
【図１】
0003123505.tif 000003
【図２】
0003123505.tif 000004
【図３】
0003123505.tif 000005
【図４】
0003123505.tif 000006
【図５】
0003123505.tif 000007
【図６】
0003123505.tif 000008
【図７】
0003123505.tif 000009
【図８】
0003123505.tif 000010
【図９】
0003123505.tif 000011
【図１０】
0003123505.tif 000012
【図１１】
0003123505.tif 000013
【図１２】
0003123505.tif 000014
【図１３】
0003123505.tif 000015
【図１４】
0003123505.tif 000016